(57)【特許請求の範囲】
【請求項１】
アスパラガス等の宿根野菜類の栽培方法において、畑土面より一定の高さを有する囲い枠を設置し、この囲い枠内に、栽培する宿根野菜類の根株の厚さ分だけ囲い枠上面高さより低い高さに円柱状の根株保持体を設置し、この根株保持体上面に宿根野菜類の根株を乗せた後、もみ殻，稲わら，ピートモス等の腐食性有機物を多く含んだ培地を囲い枠上面まで満たす事で根株保持体上の根株を植え込んだ後、時が過ぎ微生物の働きにより腐食性有機物が分解消滅して囲い枠内の培地の体積が減少したら、減少した体積分の培地を順次囲い枠上面より補充して培地量を囲い枠上面レベルに維持しながら宿根野菜類を栽培する事を特徴とする宿根野菜類の栽培方法。
【発明の詳細な説明】
【技術分野】
【０００１】
本発明は、アスパラガスに代表される宿根野菜類の栽培方法に関するものである。
【背景技術】
【０００２】
トマト、芋等の農作物は、畑土に元肥と称される肥料を施し耕した後畝を立て、畝に植えて本体を育てながら実を収穫するが、実が成る頃には元肥は使い切られ薄くなり無くなってしまう為、追肥と称される肥料を畝上面に数回に分けて施し収穫へと導かれる。
【０００３】
一方、アスパラガスは、畑畝に定植されると１５年間位寿命が尽きるまで変わる事のない培地内環境に根を伸ばして作物を産出している。このアスパラガス等の宿根野菜類は、最初の植え付けの時は培地に元肥を施用出来るが、以後は畝面上から肥料をまくだけの追肥の型での施肥法で育てて行く事になる。しかし、アスパラガスは、畝に植えると年々成長し株を大きくし根量を増やしていくのでそれに伴い周囲の培地を圧迫し、培地は相対的に締まっていき硬く成って行く為、畝上に施す追肥の浸透性もだんだん悪くなり畝畑面から地面へと伝わって流出し失われる割合が増していく。即ち、作物の産出量が増して来て肥料も多く必要になって来るのに、現状は反対に畝畑面から肥料が流出し失われてしまっているのが従来例の栽培方法であった。
【発明の概要】
【発明が解決しようとする課題】
【０００４】
本発明は、このような宿根野菜類の株が成長し収穫物を多く生産出来る様になるにつれて培地内の生育環境が悪くなり、肥料の効きも効かせ方も難しくなって来る不都合を解決する為の画期的な栽培方法を提案するものである。
【課題を解決するための手段】
【０００５】
添付図面を参照して本発明の要旨を説明する。
【０００６】
アスパラガス等の宿根野菜類の栽培方法において、畑土面より一定の高さを有する囲い枠１を設置し、この囲い枠１内に、栽培する宿根野菜類の根株４の厚さ分だけ囲い枠１上面高さより低い高さに円柱状の根株保持体３を設置し、この根株保持体３上面に宿根野菜類の根株４を乗せた後、もみ殻，稲わら，ピートモス等の腐食性有機物を多く含んだ培地５を囲い枠１上面まで満たす事で根株保持体３上の根株４を植え込んだ後、時が過ぎ微生物の働きにより腐食性有機物が分解消滅して囲い枠１内の培地５の体積が減少したら、減少した体積分の培地５を順次囲い枠１上面より補充して培地５量を囲い枠上１面レベルに維持しながら宿根野菜類を栽培する事を特徴とする宿根野菜類の栽培方法に係るものである。
【発明の効果】
【０００７】
本発明は上述の様に構成したから、囲い枠内に満たした培地は、微生物の働きで少しずつかさ（体積）が減る為、従来の様に根株が成長するにつれて相対的に周囲より圧迫される事もなく、また培地層に囲い枠上面よりパラッと施した肥料は、雨，露で溶け培地下端に行くまでに途中培地層に程よく吸収され、根群に消費される事となり、従来例の如く流出し失われる事も無く、順次減った分の培地量を補充する事で根は上から順番に新しく新鮮な培地に接する事が出来るので、良好な生育が可能となる極めて実用性に優れた画期的な栽培方法となる。
【図面の簡単な説明】
【０００８】
【図１】本実施例を示す、囲い枠内で根株保持体を一条植え配置とした場合の斜視図である。
【図２】本実施例を示す、囲い枠内の根株保持体を千鳥足型に二条植え配置とした場合の斜視図である。
【図３】本実施例を示す、囲い枠内に一本物の横パイプ（根株保持体）を用いる場合の斜視図である。
【発明を実施するための形態】
【０００９】
好適と考える本発明の実施形態を、図面に基づいて本発明の作用を、示して簡単に説明する。
【００１０】
図１に示すように、畑土面より一定の高さを有する囲い枠１を設置し、この囲い枠１内に円柱状の根株保持体３を等間隔に配置し、この囲い枠１内に根株保持体３上面と同高さに腐食性に富んだ有機物を多く含んだ培地５を投込する。次に、根株保持体３上面に宿根野菜類の根株４を乗せた後、囲い枠１上端まで上記培地５を入れ、根株保持体３上の根株４を植え込む型とする。時が進むと微生物の働きで培地５内の腐食性有機物は消滅し、囲い枠１内の培地５のかさ（体積）は減り、囲い枠１内の培地５面は下がるが、根株４は根株保持体３上に乗っかかり支持されている為、周囲培地５は下がっても根株４位置はそのままであり、培地５が下がって行く分、順次新しい培地５を補充していく事により根株４及び、根群は新しい培地５と接する事が可能となり、良好な新陳代謝が行われ、良好な生育が可能となる。
【実施例】
【００１１】
本発明の具体的な実施例について図面に基づいて説明する。
【００１２】
囲い枠１は、栽培する宿根野菜の種類により高さは異なるが、アスパラガスを例とすれば高さを６０ｃｍ位とし、内側に厚手の農用ビニール又は薄手の樹脂板等の仕切り板２を配置する。
【００１３】
この囲い枠１中央に５０ｃｍ間隔で円柱状の根株保持体３をその上面が囲い枠１上端面より１５ｃｍ低くなる様に配置する。
【００１４】
次に、囲い枠１内に、腐食成分（腐食性有機物）を多く含んだ培地５を根株保持体３と同等高さまで投入する。腐食性有機物を多く含んだ培地５は、もみ殻又は稲わら又はもみ殻と稲わらと土を等割合で混ぜた物又はピートモスを採用する。これらは、微生物に分解され最後はなくなりかさ（体積）が減る。尚、この培地５は、もみ殻と稲わらとピートモスの混合物でも良いし、これらの腐食性有機物を土や砂と混合した物でも良い。
【００１５】
次に、根株保持体３上面にアスパラガスの根株４本体をバランス良く乗せ、根群を放射状に根株保持体３周囲の培地５上に広げる。
【００１６】
次に、腐食成分を多く含んだ培地５を囲い枠１上端面まで投入し根株４を植え込む。
【００１７】
時が進むと微生物の働きで培地５内の腐食性有機物は消滅し、囲い枠１内の培地５のかさ（体積）は減り、囲い枠１内の培地５面は下がるが、根株４は根株保持体３上に乗っかかり支持されている為、周囲培地５は下がっても根株４位置はそのままであり、培地５が下がって行く分、腐食性有機物を多く含んだ培地５を少しずつ補充する事により根株４の培地５内環境を更新し、根株４の周囲培地５を根株４の位置を動かす事なく、新しい培地５に順次変えて行く。これにより、根株４及び、根群は新しい培地５と接する事が可能となり、良好な新陳代謝が行われ、良好な生育が可能となる。
【００１８】
図１は、囲い枠１中央に根株保持体３を等間隔一条植えとした場合の実施例であるが、作物に応じて図２の様に囲い枠１内に根株保持体３を千鳥足型に二条植え配置とする事も可能であるし、アスパラガスの様に株が大きくなり一株数ｋｇに及ぶ作物は、一株毎に根株保持体３を施用しなければならないが、そうでない作物については、図３の様に囲い枠１内の所々にパイプを差し込み、パイプ上端穴にＳ字型フックの一端をかけ、片方の丸部に長い横パイプを乗せ、この横パイプを根株保持体３としてこの根株保持体３上に程よく根株４を乗せ用いる方法もある。
【符号の説明】
【００１９】
１  囲い枠
２  仕切り板
３  根株保持体
４  根株
５  培地
【要約】      （修正有）【課題】宿根野菜類、主にアスパラガスなどは畑畝に定植されると１５年間位寿命が尽きるまで根株や根群の生育する培地内の環境は変わる事なく根株周囲環境が年々締まってくるため培地の浸透性が悪くなり、作物の産出量が増すことによる肥料も多く必要になって来る。アスパラガス等の栽培方法を改善する栽培方法を提供する。【解決手段】アスパラガス等、宿根野菜を植える際には、高さ６０ｃｍ位の囲い枠１を設け、その枠内に囲い枠１上端面より１５ｃｍ低い、根株保持円柱３を設置する。次に稲わら、もみがら等、腐食性有機物を多く含んだ培地５を前記円柱３面と同高さ分、囲い枠１内に投込みする。次にアスパラガスの根株４を根株保持円柱３上面にバランスよく乗せる。次に前記培地５を囲い枠１上端面まで満たす事で根株保持円柱３上の根株４を植え込む。【選択図】図１【図１】
0004564577.tif 000002
【図２】
0004564577.tif 000003
【図３】
0004564577.tif 000004